(57)【要約】  ビデオ着信音を送信する方法。本方法は、第１の位置の受信された第１のビデオを、対話型アクティビティと統合することを含み、前記対話型アクティビティは、第１の位置の第１の実体および第２の位置の第２の実体が電気通信ネットワーク上で従事するアクティビティを含み、第１の位置の受信された第１のビデオの対話型アクティビティとの統合が、統合された対話型アクティビティを実現する。
2016500939.tif 000002
【特許請求の範囲】
【請求項１】
第１の位置の受信された第１のビデオを、対話型アクティビティと統合することを含み、前記対話型アクティビティは、前記第１の位置の第１の実体および第２の位置の第２の実体が電気通信ネットワーク上で従事するアクティビティを含み、前記第１の位置の前記受信された第１のビデオと前記対話型アクティビティとの前記統合が、統合された対話型アクティビティを実現する、
コンピュータ実装方法。
【請求項２】
第１の装置によって、前記第２の位置の第２のビデオにアクセスすることをさらに含む、
請求項１に記載のコンピュータ実装方法。
【請求項３】
前記第１の装置によって、第２の装置に前記第２のビデオを送信することをさらに含む、
請求項２に記載のコンピュータ実装方法。
【請求項４】
第１の装置で、第２の装置から前記第１の位置の前記第１のビデオを受信し、それにより前記受信された第１のビデオを実現することをさらに含む、
請求項１に記載のコンピュータ実装方法。
【請求項５】
前記統合された対話型アクティビティを、第１の装置に連結されたディスプレイ上に表示することをさらに含む、
請求項１に記載のコンピュータ実装方法。
【請求項６】
受信された第１のビデオの前記統合が、前記第１のビデオのオーディオ成分に伴う音声を統合することを含む、
請求項１に記載のコンピュータ実装方法。
【請求項７】
受信された第１のビデオの前記統合が、
前記第１のビデオの視覚的成分を統合することを含む、
請求項１に記載のコンピュータ実装方法。
【請求項８】
第１の位置の第１のビデオにアクセスするように構成された第１のビデオアクセサと、
前記第１のビデオアクセサと連結されたビデオ統合器であって、前記ビデオ統合器が、前記第１のビデオを対話型アクティビティと統合するように構成され、前記対話型アクティビティが、前記第１の位置の第１の実体および第２の位置の第２の実体が電気通信ネットワーク上で従事するアクティビティを含み、前記第１のビデオの前記対話型アクティビティとの前記統合が、統合された対話型アクティビティを実現する、ビデオ統合器と、を備える、
装置。
【請求項９】
第２の位置の第２のビデオにアクセスするように構成された第２のビデオアクセサをさらに含む、
請求項８に記載の装置。
【請求項１０】
前記第２のビデオを別の装置に送信するように構成されたビデオ送信器をさらに含む、
請求項９に記載の装置。
【請求項１１】
前記統合された対話型アクティビティを表示するように構成されたディスプレイをさらに含む、
請求項８に記載の装置。
【請求項１２】
前記第１のビデオのオーディオ成分に伴う音声を統合するように構成された音声統合器をさらに含む、
請求項８に記載の装置。
【請求項１３】
前記第１のビデオの視覚的成分を統合するように構成された視覚的成分統合器をさらに含む、
請求項８に記載の装置。
【発明の詳細な説明】
【技術分野】
【０００１】
［関連出願への相互参照］
本出願は、２０１２年９月２８日出願の米国非仮出願第１３／６３１，３８６号に関連し、同出願に対する優先権を主張し、その全体を参照することにより明細書に組み込まれる。
【背景技術】
【０００２】
一般的に、２人以上が電気通信ネットワーク上で共通のタスク（ｔａｓｋ）に従事し得る。例えば、自宅から在宅勤務する人は、オフィスの同僚がその修正が行われるのを見ているのと同時に、文書を修正する場合がある。さらに、同僚もまた修正を行う場合がある。しかしながら、ネットワーク上で積極的に協働することに関しては、制限が存在する。
【発明の概要】
【０００３】
本文書は、ビデオの着信音を送信するための少なくとも１つの方法を開示する。本方法は、すなわち、第１の位置の受信された第１のビデオを、対話型アクティビティと統合することを含み、又、前記対話型アクティビティは、第１の位置の第１の実体および第２の位置の第２の実体が、電気通信ネットワーク上で従事するアクティビティを含み、さらに第１の位置の受信された第１のビデオを対話型アクティビティと統合することを含んでおり、これらが統合された対話型アクティビティを実現する。
【図面の簡単な説明】
【０００４】
【図１】一実施形態による例示的な装置を図示するブロック図である。
【０００５】
【図２】一実施形態による例示的な装置を図示するブロック図である。
【０００６】
【図３】一実施形態による例示的な方法を図示する流れ図である。
【０００７】
本記載において言及される図面は、特に記載される場合を除き、原寸通りに描かれていないものとして理解されるべきである。
【発明を実施するための形態】
【０００８】
様々な実施形態が、詳細な図示的な実施形態を参照して、ビデオを対話型アクティビティに統合する装置の関連において、下記に記載される。本明細書に提供される記載から、システム、機器、および方法が、幅広い種類の形態で具体化され得ることは、明白であろう。したがって、本明細書に開示される特定の構造的、および機能的詳細は、代表的なものであり、本技術の実施形態の範囲を限定するものではない。
【０００９】
統合された対話型アクティビティを達成する、２人以上の人によって電気通信ネットワーク上で従事される対話型アクティビティを、ビデオに統合するための例示的な装置および方法が、本明細書に記載される。
【００１０】
特に、下記の説明では、まず装置の構造および部品について記載する。ついで、説明は、装置を使用している間の装置の構造および部品の機能性について記載する。
【００１１】
様々な実施形態は、タスクならびに互いを見ることが可能でありながら、２人以上の人が、電気通信ネットワーク上で共通のタスクに従事するための構造および方法について記載する。実施形態は、文書修正およびゲームなどのアクティビティにおいて使用され得るが、これに限定されるものではない。
【００１２】
図１は、一実施形態による装置１００を図示するブロック図を示す。一実施形態において、装置１００は、ビデオ統合器１１０と連結された第１のビデオアクセサ１０５を含む。
【００１３】
第１のビデオアクセサ１０５は、一実施形態において、第１の位置１２０の第１のビデオ１４５にアクセスする。一実施形態において、ビデオ統合器１１０が、第１のビデオ１４５を対話型アクティビティ１１５と統合した。対話型アクティビティ１１５は、第１の位置１２０における第１の実体１２５、および第２の位置１３０における第２の実体１３５が電気通信ネットワーク１５５上で従事するアクティビティであり、第１のビデオ１４５の対話型アクティビティ１１５との統合が、統合された対話型アクティビティ１５０を実現する。
【００１４】
注目すべきことに、一実施形態において、第１および第２の実体１２５，１３５はそれぞれ、第１および第２の位置１２０，１３０にそれぞれ位置する人である。しかしながら、第１および第２の実体１２５，１３５はそれぞれ、第１および第２の位置１２０，１３０にそれぞれ存在する人間以外の生物、および／または無生物であり得る。
【００１５】
第１のビデオ１４５は、第１の位置１２０の画像のセットを含み、それは第１の位置１２０の第１の実体（例えば、人）をもまた含む。一方、（図２の）第２のビデオ２７５は、第２の位置１３０の画像のセットを含み、第２の位置１３０の第２の実体１３５（例えば、人）をもまた含む。画像のセットは、ビデオを構成する画像のストリームである。一実施形態において、例えば、第１のビデオ１４５の画像のストリームは、カメラによって、対話型アクティビティの再生の所定の速度に対応する速度で記録される。例えば、対話型アクティビティの再生の速度が中断した場合、カメラも対話型アクティビティが再開するまで中断する動作をするように構成され得る。しかしながら、別の実施形態において、カメラは、対話型アクティビティが中断する際、第１および第２の位置１２５，１３０をそれぞれ記録し続ける動作をするように構成され得る。
【００１６】
図２は、一実施形態による第１の装置２００および第２の装置２５０を図示するブロック図を示す。第１および第２の装置２００，２５０はそれぞれ、様々な実施形態において、ネットワーク上の通信を促進することができる装置、またはその一部であるような任意の装置であり、例えば、モバイル電気通信装置、携帯情報端末、ラップトップなどであるが、これに限定されない。
【００１７】
一実施形態において、第１の装置２００は、ビデオ統合器２１０と連結された第１のビデオアクセサ２０５を含む。第１の装置２００は、一つ以上の下記の部品を任意で含み得る。即ち、第２のビデオアクセサ２２０、ビデオ送信器２２５、音声統合器２３０、および視覚的成分統合器２３５。
【００１８】
さらに、図２は、第２の位置２６０（第２の実体２６５を含む）と連結された第１の装置２００をもまた示す。一実施形態において、第１の装置２００は、任意で下記の装置のうちの１つ以上と（有線を介しておよび／または無線で）連結され得る。即ち、カメラ２７０およびディスプレイ２９０。第２の装置２５０は、第１の位置２４０（第１の実体２４５を含む）と連結して示される。第１の装置２００および第２の装置２５０は、電気通信ネットワーク２５５を通して、有線を介しておよび／または無線で、互いに連結される。
【００１９】
一実施形態において、ディスプレイ２９０は、統合されたアクティビティ２９２を表示する。別の実施形態において、音声統合器２３０は、第１のビデオ２８２のオーディオ成分を伴う音声を統合する。さらに別の実施形態において、視覚的成分統合器２３５は、第１のビデオ２８２の視覚的成分を統合する。したがって、第１のビデオ２８２のオーディオおよび視覚的成分は、第１の実体２４５、第２の実体２６５、製造業者の指示、または任意の他の実体に対する所定の命令に従って、別々に統合され得る。例えば、オーディオ成分の音声は、ビデオの再生中、ミュートされることを予め定め得る。このミュートされる機能は、対話型アクティビティ２１５に従事する第１の実体２４５によって、または対話型アクティビティに従事する第２の実体２６５によって指示され得るが、これに限定されない。さらに、視覚的成分は、対話型アクティビティの機能実行と一致しない異なる速度で再生されるように指示され得る。
【００２０】
一実施形態において、第２のビデオアクセサ２２０は、第２の位置２６０の第２のビデオ２７５にアクセスする。例えば、一実施形態において、カメラ２７０は、第２の位置２６０の第２の実体２６５を録画する。ついで、第１の装置２００は、有線を介しておよび／または無線で、第２のビデオ２７５にアクセスする。
【００２１】
一実施形態において、ビデオ送信器２２５は、第２のビデオ２７５を、第２の装置２５０などの別の装置に送信するが、これに限定されない。注目すべきことに、２つの装置だけが対話型アクティビティ２１５に従事すると本明細書では示されるが、２つを超える装置がそのようなものとして従事し得る。
【００２２】
第１の装置、一実施形態においては、第２の装置２５０は、第１のビデオアクセサおよびビデオ統合器を、および任意で、第２のビデオアクセサ、ビデオ送信器、音声統合器、および視覚的成分統合器のうちの１つ以上をまた、含むと理解されるべきである。さらに、一実施形態において、第２の装置２５０は、第１の装置２００に対し本明細書に記載される機能と同様に機能する。したがって、第１の装置２００および第２の装置２５０は、共にリアルタイムで互いの画像(および表情)を見ながら、電気通信ネットワーク上でチェッカーを行うなどの、共通のタスクにリアルタイムで従事し得る。
【００２３】
ここで説明は、実施形態に係る第１の装置２００の使用中の、第１の装置２００の構造および部品の機能性について記載する。特に、説明は、受信された第１のビデオ２８２を対話型アクティビティ２１５と統合することを記載する。説明は、図１から３を参照する。図３は、例示的な方法３００を図示する流れ図である。様々な実施形態において、方法３００は、プロセッサおよび電気部品によって、コンピュータ可読およびコンピュータ実行可能な命令の制御の下で行われる。コンピュータ可読およびコンピュータ実行可能な命令は、例えば、コンピュータ使用可能な揮発性および非揮発性メモリなどの非一時的データ記憶媒体に存在する。しかしながら、コンピュータ可読およびコンピュータ実行可能な命令は、任意の種類のコンピュータ可読記憶媒体内に存在し得る。いくつかの実施形態において、図１および２に記載されるように、方法３００は、第１の装置２００内の部品によって実行される。
【００２４】
工程３０５で、又、本明細書に記載されるように、一実施形態において、第１の位置２４０の受信された第１のビデオ２８２は、対話型アクティビティ２１５と統合され、対話型アクティビティ２１５は、第１の位置２４０の第１の実体２４５、および第２の位置２６０における第２の実体２６５が、電気通信ネットワーク２５５上で従事するアクティビティを含む。第１の位置２４０の受信された第１のビデオ２８２の３０５を、対話型アクティビティ２１５と統合することが、統合された対話型アクティビティ２９２を実現する。
【００２５】
工程３１０で、又、本明細書に記載されるように、一実施形態において、第２の位置２６０の第２のビデオ２７５は、第１の装置２００によってアクセスされる。ついで、工程３１５で、本明細書に記載されるように、一実施形態において、第２のビデオ２７５は、第１の装置２００によって第２の装置２５０に送信される。
【００２６】
工程３２０で、又、本明細書に記載されるように、一実施形態において、第１の位置２４０の第１のビデオ２８２は、第１の装置２００で、第２の装置２５０から受信され、それにより工程３０５の受信された第１のビデオを実現する。
【００２７】
工程３２５で、又、本明細書に記載されるように、一実施形態において、統合された対話型アクティビティ２９２は、第１の装置２００と連結されたディスプレイ２９０上に表示される。
【００２８】
工程３３０で、又、本明細書に記載されるように、一実施形態において、第１のビデオ２８２のオーディオ成分を伴う音声は、対話型アクティビティ２１５と統合される。
【００２９】
工程３３５で、又、本明細書に記載されるように、一実施形態において、第１のビデオ２８２の視覚的成分は、対話型アクティビティ２１５と統合される。
【００３０】
したがって、本明細書に記載されるように、実施形態は、２人以上の人が、共通のアクティビティの実行中に、互いの画像を見ながら共通のアクティビティに従事することを可能にする。
【００３１】
本発明の様々な実施形態はこのように説明される。実施形態を、特定の実施形態において記載しているが、実施形態はそのような記載に限定されるものとして理解されるべきではなく、むしろ下記の特許請求の範囲に従って解釈されるべきである。
【００３２】
当業者は、本明細書で言及される方法工程が、プロセッサと、少なくともキーボード、マウス、スキャナ、カメラを備える入力装置と、少なくともモニタ、プリンタからなる出力装置と、を含むハードウェアによって行われ得るが、これに限定されないことを理解するであろう。方法工程は、必要に応じて、適切な装置によって行われる。例えば、決定アルゴリズムを実装することによって、プロセッサ内の意思決定ユニットによって、決定ステップが行われ得る。当業者は、この意思決定ユニットが、例えばコンピュータのプロセッサ内で前述の決定アルゴリズムを行う際、物理的にまたは効果的に存在し得ると理解するであろう。上記の分析は、本明細書に記載される他の工程に適用されるべきである。
【００３３】
本明細書に記載される構成要素、部分および工程の全ては、好適に含まれる。これらの構成要素、部分および工程のうちのどれも、当業者にとって明白であるように、他の構成要素、部分および工程によって代替され得る、または完全に除去され得ることが理解されるべきである。
［概念］
本文章は、少なくとも下記の概念を開示する。
概念１．  第１の位置の受信された第１のビデオを、対話型アクティビティと統合することを含み、前記対話型アクティビティは、前記第１の位置の第１の実体および第２の位置の第２の実体が電気通信ネットワーク上で従事するアクティビティを含み、前記第１の位置の前記受信された第１のビデオと前記対話型アクティビティとの前記統合が、統合された対話型アクティビティを実現する、コンピュータ実装方法。
概念２．  第１の装置によって、前記第２の位置の第２のビデオにアクセスすることをさらに含む、概念１に記載のコンピュータ実装方法。
概念３．  前記第１の装置によって、第２の装置に前記第２のビデオを送信することをさらに含む、概念２に記載のコンピュータ実装方法。
概念４．  第１の装置で、第２の装置から前記第１の位置の前記第１のビデオを受信し、それにより前記受信された第１のビデオを実現することをさらに含む、概念１に記載のコンピュータ実装方法。
概念５．  前記統合された対話型アクティビティを、第１の装置に連結されたディスプレイ上に表示することをさらに含む、概念１に記載のコンピュータ実装方法。
概念６．  受信された第１のビデオの前記統合が、前記第１のビデオのオーディオ成分に伴う音声を統合することを含む、概念１、２、４、または５のいずれか一項に記載のコンピュータ実装方法。
概念７．  受信された第１のビデオの前記統合が、前記第１のビデオの視覚的成分を統合することを含む、概念１、２、４、または５のいずれか一項に記載のコンピュータ実装方法。
概念８．  第１の位置の第１のビデオにアクセスするように構成された第１のビデオアクセサと、前記第１のビデオアクセサと連結されたビデオ統合器であって、前記ビデオ結合器が、前記第１のビデオを対話型アクティビティと統合するように構成され、前記対話型アクティビティが、前記第１の位置の第１の実体および第２の位置の第２の実体が電気通信ネットワーク上で従事するアクティビティを含み、前記第１のビデオの前記対話型アクティビティとの前記統合が、統合された対話型アクティビティを実現する、ビデオ統合器と、を備える、装置。
概念９．  第２の位置の第２のビデオにアクセスするように構成された第２のビデオアクセサをさらに含む、概念８に記載の装置。
概念１０．  前記第２のビデオを別の装置に送信するように構成されたビデオ送信器をさらに含む、概念９に記載の装置。
概念１１．  前記統合された対話型アクティビティを表示するように構成されたディスプレイをさらに含む、概念８または９に記載の装置。
概念１２．  前記第１のビデオのオーディオ成分に伴う音声を統合するように構成された音声統合器をさらに含む、概念８または９に記載の装置。
概念１３．  前記第１のビデオの視覚的成分を統合するように構成された視覚的成分統合器をさらに含む、概念８または９に記載の装置。
【図１】
2016500939.tif 000003
【図２】
2016500939.tif 000004
【図３】
2016500939.tif 000005
【国際調査報告】
2016500939.tif 000006
2016500939.tif 000007